(57)【要約】【課題】ブレーキ装置の冷却性能を向上することができる車両のデフレクタ構造を提供する。【解決手段】ブレーキ装置３はブレーキディスク３ａを備え、該ブレーキ装置３が前輪１のホイール１ａ内に配設され、デフレクタ板１００は、その前端が車両底面から下方に垂下する縦壁を有すると共に、底面視で車両後方から前方に向かって膨出した形状を有し、縦壁の少なくとも一部は、ブレーキ装置３より車幅方向内側に配設されたことを特徴とする。【選択図】図５
2011201543.tif 000002
【特許請求の範囲】
【請求項１】
ブレーキ装置が設けられた操舵輪である前輪の前方において、車体下面部から下方へ突出し、前記前輪を収容するホイールハウス内へ車両前方から流入する走行風量を制限するデフレクタ板を備えた車両のデフレクタ構造において、
前記ブレーキ装置はブレーキディスクを備え、該ブレーキ装置が前記前輪のホイール内に配設され、
前記デフレクタ板は、その前端が車両底面から下方に垂下する縦壁を有すると共に、
底面視で車両後方から前方に向かって膨出した形状を有し、
前記縦壁の少なくとも一部は、前記ブレーキ装置より車幅方向内側に配設された
ことを特徴とする
車両のデフレクタ構造。
【請求項２】
前記縦壁部は、前記車両底面から、前記前輪の前後方向の中心を車幅方向に通る車軸より下方まで垂下して配設されている
請求項１記載の車両のデフレクタ構造。
【請求項３】
前記縦壁は、前記デフレクタ板の内側端部から前方に膨出して配設されている
請求項１または２記載の車両のデフレクタ構造。
【請求項４】
前記縦壁は、前記デフレクタ板の外側端部から前方に膨出して配設されている
請求項１〜３の何れか１項に記載の車両のデフレクタ構造。
【請求項５】
車両底面視において、前記デフレクタ板が円弧状または楕円弧状をなしていることを特徴とする
請求項１〜４の何れか１項に記載の車両のデフレクタ構造。
【請求項６】
前記デフレクタ板は、
その車幅方向の両端部の少なくとも何れか一方の端部において車両前後方向と平行に延びる部分を有することを特徴とする
請求項１〜５の何れか１項に記載の車両のデフレクタ構造。
【請求項７】
前記デフレクタ板は、
その車幅方向の両端部の少なくとも何れか一方の端部が、前記ホイールハウスの前縁部に略一致するように配設されていることを特徴とする
請求項１〜６の何れか１項に記載の車両のデフレクタ構造。
【請求項８】
前記デフレクタ板の膨出方向が、車両前後方向よりも車内側を向いていることを特徴とする
請求項１〜７の何れか１項に記載の車両のデフレクタ構造。
【請求項９】
前記デフレクタ板の下縁は、車両後方側よりも車両前方側の方が上方に位置していることを特徴とする
請求項１〜８の何れか１項に記載の車両のデフレクタ構造。
【発明の詳細な説明】
【技術分野】
【０００１】
本発明は前輪を収容するホイールハウス内へ流入する走行風量を制限する車両のデフレクタ構造に関する。
【背景技術】
【０００２】
車両走行時に車体下面部下を通過する走行風はホイールハウス内に流入して車体側面から流出する。一般に、操舵輪である前輪を収容するホイールハウスは前輪の転舵代を見込んで奥行き空間が大きく形成されているため、前輪のホイールハウスに流入して車体側面から流出する空気量は多くなりやすい。
【０００３】
そこで、前輪の前方に板状のデフレクタ板を配設してホイールハウス内に流入する走行風量を低減することが提案されている（特許文献１および２）。
【０００４】
一方、ホイールハウス内に流入する走行風量が低減すると前輪に設けられたブレーキ装置の冷却性が悪化する。このため、車両下面部を構成するアンダーカバーに、ブレーキ装置へ走行風を導く窪みを設けることも提案されている（特許文献１および２）。
【先行技術文献】
【特許文献】
【０００５】
【特許文献１】特許第３６０７９６５号公報
【特許文献２】特開２００２−３６２４２９号公報
【発明の概要】
【発明が解決しようとする課題】
【０００６】
本発明の目的は、ブレーキ装置の冷却性能を向上することができる車両のデフレクタ構造を提供することにある。
【課題を解決するための手段】
【０００７】
本発明による車両のデフレクタ構造は、ブレーキ装置が設けられた操舵輪である前輪の前方において、車体下面部から下方へ突出し、前記前輪を収容するホイールハウス内へ車両前方から流入する走行風量を制限するデフレクタ板を備えた車両のデフレクタ構造において、前記ブレーキ装置はブレーキディスクを備え、該ブレーキ装置が前記のホイール内に配設され、前記デフレクタ板は、その前端が車両底面から下方に垂下する縦壁を有すると共に、底面視で車両後方から前方に向かって膨出した形状を有し、前記縦壁の少なくとも一部は、前記ブレーキ装置より車幅方向内側に配設されたものである。
【０００８】
上記構成によれば、前記デフレクタ板の縦壁を乗り越えて前記ホイールハウス内へ流入する走行風が、車両後方へ流れる渦状の上昇流を生じる。  
この渦状の上昇流が前記ブレーキ装置の冷却風となり、前記ブレーキ装置の冷却性を向上する。
【０００９】
要するに、前記デフレクタ板が前方に膨出しつつ縦壁を有するので、走行風が前輪に直接当たることを防止することができ、また、縦壁がブレーキ装置よりも車幅方向内側に配設されているため、縦壁を乗り越えて渦状の気流となった走行風が積極的にブレーキ装置に導かれ、該ブレーキ装置の冷却性能を向上することができる。
【００１０】
この発明の一実施態様においては、前記縦壁部は、前記車両底面から、前記前輪の前後方向の中心を車幅方向に通る車軸より下方まで垂下して配設されているものである。
【００１１】
上記構成によれば、縦壁を乗り越えた走行風が渦状の上昇気流となった際に、ブレーキ装置に対してより一層走行風を導くことができ、該ブレーキ装置の冷却性能をさらに向上することができる。
【００１２】
この発明の一実施態様においては、前記縦壁は、前記デフレクタ板の内側端部から前方に膨出して配設されているものである。
【００１３】
上記構成によれば、縦壁を乗り越えた渦状の走行風によって負圧が生じ、この負圧で、デフレクタ板の車幅方向内側の側面に沿って流れた走行風を引き寄せてブレーキ装置の方向に導くことができ、該ブレーキ装置の冷却性能をさらに向上させることができる。
【００１４】
この発明の一実施態様においては、前記縦壁は、前記デフレクタ板の外側端部から前方に膨出して配設されているものである。
【００１５】
上記構成によれば、デフレクタ板の外側側面に沿って流れる走行風を車体側面に沿って導くことができ、車両全体のＣｄ値を低減することができる。つまり、ブレーキ装置の冷性性向上と、車両全体のＣｄ値低減との両立を図ることができる。
【００１６】
この発明の一実施態様においては、車両底面視において、前記デフレクタ板が円弧状または楕円弧状をなしているものである。  
この構成によれば、前記デフレクタ板により左右に偏向される走行風をより層状に維持することができ、車両全体のＣｄ値を向上できる。
【００１７】
この発明の一実施態様においては、前記デフレクタ板は、その車幅方向の両端部の少なくとも何れか一方の端部において車両前後方向と平行に延びる部分を有するものである。  
この構成によれば、前記デフレクタ板により左右に偏向される走行風をより層状に維持することができ、車両全体のＣｄ値を向上できる。また、上述した渦状の上昇流を車両後方へ、つまり、前記ブレーキ装置へと指向しやすくなる。
【００１８】
この発明の一実施態様においては、前記デフレクタ板は、その車幅方向の両端部の少なくとも何れか一方の端部が、前記ホイールハウスの前縁部に略一致するように配設されているものである。  
この構成によれば、前記デフレクタ板が前記ホイールハウスにより近い位置に配設されるので、上述した渦状の上昇流が前記ブレーキ装置へ届きやすくなり、前記ブレーキ装置の冷却性を向上できる。
【００１９】
この発明の一実施態様においては、前記デフレクタ板の膨出方向が、車両前後方向よりも車内側を向いているものである。  
この構成によれば、上述した渦状の上昇流を車両後方へ、つまり、前記ブレーキ装置へ指向しやすくなる。
【００２０】
この発明の一実施態様においては、前記デフレクタ板の下縁は、車両後方側よりも車両前方側の方が上方に位置しているものである。  
この構成によれば、縁石等と前記デフレクタ板との干渉を防止しながら、上記効果を図れる。
【発明の効果】
【００２１】
以上述べた通り、本発明によれば、ブレーキ装置の冷却性能の向上を図る車両のデフレクタ構造を提供することができる。
【図面の簡単な説明】
【００２２】
【図１】本発明の一実施形態に係るデフレクタ構造を備えた車両の前方の側視図。
【図２】車両の前方の底面図（一部断面図）。
【図３】左側の前輪の前方に配設されたデフレクタ板の斜視図。
【図４】要部の正面図（一部断面図）。
【図５】本発明の一実施形態に係るデフレクタ構造による走行風の流れの説明図（一部断面底面図）。
【図６】（ａ）乃至（ｃ）はデフレクタ板の他の例を示す底面図。
【発明を実施するための形態】
【００２３】
走行風が前輪に直接当たることを防止すると共に、ブレーキ装置の冷却性能の向上を図るという目的を、ブレーキ装置が設けられた操舵輪である前輪の前方において、車体下面部から下方へ突出し、前記前輪を収容するホイールハウス内へ車両前方から流入する走行風量を制限するデフレクタ板を備えた車両のデフレクタ構造において、前記ブレーキ装置はブレーキディスクを備え、該ブレーキ装置が前記前輪のホイール内に配設され、前記デフレクタ板は、その前端が車両底面から下方に垂下する縦壁を有すると共に、底面視で車両後方から前方に向かって膨出した形状を有し、前記縦壁の少なくとも一部が、前記ブレーキ装置より車幅方向内側に配設されるという構成にて実現した。
【実施例】
【００２４】
この発明の一実施態様を以下図面に基づいて詳述する。
【００２５】
図１はこの発明のデフレクタ構造を備えた車両Ａの前方の側視図、図２は車両Ａの前方の底面図（一部断面図）、図４は要部の正面図（一部断面図）である。  
車両Ａは操舵輪である左右の前輪１と、前輪１を転舵可能に収納するホイールハウス２と、を備える。ホイールハウス２は前輪１の転舵代を見込んで奥行き空間が形成されており、その一部には図４（左の前輪１の近傍を示す。）に示すように、サスペンションタワー部２ａが形成されている。  
また、図４に示すように、ホイールハウス２の車外側にはフロントフェンダパネル７が接合され、車内側にはフロントサイドフレーム８が接合されている。フロントサイドフレーム８にはボディ結合ブッシュ９を介してペリメータフレーム６が接合されている。
【００２６】
前輪１はホイール１ａとホイール１ａに装着されたタイヤ１ｂとを備え、ナックルアーム４を介して操舵されるように構成されている。前輪１にはブレーキ装置３が設けられている。ブレーキ装置３はブレーキディスク３ａとキャリパー３ｂとから構成されており、ブレーキディスク３ａはホイール１ａに固定されている。キャリパー３ｂはステアリングナックル（図示せず）に支持され、ブレーキディスク３ａに鞍状にまたがって配設されている。前輪１はロアアーム５を含むフロントサスペンション（例えば、ダブルウィッシュボーン形式、マクファーソンストラット形式）により左右独立して懸架されており、ロアアーム５はペリメータフレーム６に支持されている。なお、図２に示すように、車両Ａの前方の車体下面部は、アンダカバー１０ａ乃至１０ｃにより構成されている。
【００２７】
次に、前輪１の前方にはアンダカバー１０ｂに取り付けられたデフレクタ板１００が配設されている。図３は左の前輪１の前方に配設されたデフレクタ板１００の斜視図である。なお、右の前輪１の前方に配設されたデフレクタ板１００も左右が対称となるが同様の構成である。
【００２８】
デフレクタ板１００は、ホイールハウス２内へ車両前方から流入する走行風量を制限する板状の部材であり、例えば、樹脂材料から形成される。デフレクタ板１００の上縁にはアンダカバー１０ｂへの取付部１０１が一体に形成されている。取付部１０１には取付穴１０１ａが形成されている。デフレクタ板１００は取付穴１０１ａにより、リベットあるいはネジによりアンダカバー１０ｂに固定される。
【００２９】
デフレクタ板１００は車幅方向に湾曲しながら延びており、その車幅方向の両端部（内側端部１００ａ、外側端部１００ｂ）の双方から車両前方へ膨出した形状を有している。デフレクタ板１００の上下方向の幅は、両端部１００ａおよび１００ｂよりも中央部の方が狭くなっており、図１に示すように、デフレクタ板１００の下縁は、車両後方側となる両端部１００ａおよび１００ｂよりも車両前方側となる中央側の方が地面から上方に位置している（図１でｈ１＜ｈ２）。これは縁石等とデフレクタ板１００とが干渉することを防止するものである。
【００３０】
上記の通り、この実施例ではデフレクタ板１００が両端部１００ａおよび１００ｂの双方から車両前方へ膨出した形状を有しているが、本実施形態では、特に、車両底面視で楕円弧状をなしている。図２において、線Ｌ１よりも車両前方側の部分は完全な楕円弧であるが、内側端部１００ａ近傍は車両前後方向と平行に延びている。なお、外側端部１００ｂ近傍を車両前後方向と平行に延びるようにしてもよいし、両端部１００ａおよび１００ｂ近傍を車両前後方向と平行に延びるようにしてもよい。
【００３１】
また、この実施例の場合、図２に示すように、内側端部１００ａはホイールハウス２の前縁近傍に略一致するように配設されている。なお、外側端部１００ｂをホイールハウス２の前縁部に略一致するように配設してもよいし、両端部１００ａおよび１００ｂをホイールハウス２の前縁部に略一致するように配設してもよい。
【００３２】
また、図２に示すように、デフレクタ板１００の膨出方向は、車両前後方向よりも車内側を向いている。この実施例の場合、楕円弧の中心方向（長軸方向）Ｌ２が車両前後方向と角度θをなしている。なお、デフレクタ板１００の膨出方向を車両前後方向に合わせる構成も採用可能である。
【００３３】
次に、図４に示すように、車両正面視で、デフレクタ板１００は前輪１のタイヤ１ｂと一部が重なるように配設されている。本実施形態の場合、外側端部１００ｂはタイヤ１ｂの幅方向の中心よりも外側に位置し、内側端部１００ａはタイヤ１ｂの内縁よりも車内側でホイールハウス２の内縁よりも車外側に位置しており、デフレクタ板１００は車幅方向にタイヤ１ｂの内縁を跨るように配設されている。このため、車両前方からアンダカバー１０ｂ下を通過する走行風がデフレクタ板１００により偏向され、デフレクタ板１００が存在しない場合と比べるとホイールハウス２内へ流入することが制限される。
【００３４】
次に、デフレクタ板１００の作用について説明する。デフレクタ板１００は上記の通り、基本的にはホイールハウス２内へ車両前方から走行風が流入することを制限するものであるが、この実施例ではデフレクタ板１００が両端部１００ａおよび１００ｂの双方から車両前方へ膨出した形状を有しているため、走行風の一部がブレーキ装置３へ流れ、その冷却風とすることができる。図５は走行風の流れの説明図（一部断面底面図）である。
【００３５】
デフレクタ板１００に衝突する走行風は、デフレクタ板１００を乗り越える気流ｄ１ａ、ｄ１ｂと、乗り越えずにデフレクタ板１００の側面を流れる気流ｄ２ａ、ｄ２ｂとに大別される。
【００３６】
まず、気流ｄ２ａはデフレクタ板１００の内側端部１００ａに続く側面に沿ってホイールハウス２内へ流れ、気流ｄ２ｂはデフレクタ板１００の外側端部１００ｂに続く側面に沿って車両側方へ流れる。本実施形態の場合、デフレクタ板１００が車両底面視で楕円弧状をなしており、緩やかにカーブしているため、デフレクタ板１００により左右に偏向される走行風である気流ｄ２ａおよびｄ２ｂはデフレクタ板１００の側面に沿って層状の流れを維持でき、乱れが少なくなる。このため、特に車両側方に流れる気流ｄ２ｂについて、車両全体のＣｄ値を向上できる。一方、気流ｄ２ａはホイールハウス２内へ流入して徐々に拡散する。このため、その一部が上昇して図５に示すように車両側方へ流れ、ブレーキ装置３の冷却風として機能することになる。本実施形態では、特に、デフレクタ板１００の内側端部１００ａ近傍が車両前後方向と平行に延びているため、気流ｄ２ａをより車両後方側へ、つまり、ブレーキ装置３へ導くことができる。
【００３７】
一方、デフレクタ板１００を乗り越える気流ｄ１ａ、ｄ１ｂは、デフレクタ板１００の左右の湾曲方向が走行風の進行方向（車両前後方向）から傾いているため、図５に示すように渦状の気流となり、まとまりながら流れる。また、デフレクタ板１００を下方から上方へ乗り越えることになるので、渦状の上昇流となる。このうち、デフレクタ板１００の外側端部１００ｂに続く側面を乗り越えた気流ｄ１ｂは、外側端部１００ｂに続く側面が車両外方に指向していると共にタイヤ１ｂの存在により拡散しながら車両側方に流れ、気流ｄ２ｂと合流する。気流ｄ１ｂにより車両側方を流れる気流が若干乱れるが、気流ｄ１ｂはタイヤ１ｂに衝突して拡散し、気流が弱まることと気流ｄ２ｂとの合流により、車両側方を流れる気流の乱れは左程大きくならない。
【００３８】
一方、デフレクタ板１００の内側端部１００ａに続く側面を乗り越えた気流ｄ１ａは、外側端部１００ａに続く側面がタイヤ１ｂの内縁よりも車両内方に指向していることにより、ホイールハウス２内を上昇しながら流れ、徐々に拡散する。しかして、気流ｄ１ａはブレーキ装置３の冷却風として機能することになる。この実施例では、特に、デフレクタ板１００の内側端部１００ａ近傍が車両前後方向と平行に延びているため、気流ｄ１ａをより車両後方側へ、つまり、ブレーキ装置３へ導くことができる。また、この実施例では、デフレクタ板１００の内側端部１００ａがホイールハウス２の前縁部に略一致しているため、デフレクタ板１００がホイールハウス２により近い位置に配設され、しかも、内側端部１００ａがブレーキ装置３へより近づくことから、気流ｄ１ａや気流ｄ２ａが完全に拡散してしまう前に、ブレーキ装置３へ届きやすくなり、ブレーキ装置３の冷却性を向上できる。
【００３９】
さらに、この実施例では、デフレクタ板１００の膨出方向が車両前後方向よりも車内側を向いているため、内側端部１００ａに続く側面は、走行風（車両前後方向）となす角度が相対的に浅くなり、外側端部１００ｂに続く側面は、相対的に深くなる。つまり、外側端部１００ｂに続く側面に走行風が衝突する場合よりも、内側端部１００ａに続く側面に走行風が衝突する場合の方が、拡散の程度が小さく、かつ、車両後方へ流れやすくなる。このため、気流ｄ１ａや気流ｄ２ａが車両後方へ、つまり、ブレーキ装置３へ指向しやすくなり、ブレーキ３の冷却性を向上できる。
【００４０】
このように、この実施例では、デフレクタ板１００の存在によりホイールハウス２内へ流入する走行風量が制限され、ホイールハウス２から車外へ流出する走行風量を低減し、車両Ａ全体のＣｄ値を向上させる。一方、デフレクタ板１００を、その車幅方向の両端部から車両前方へ膨出した形状とすることで、デフレクタ板１００を乗り越えてホイールハウス２内へ流入する走行風が、車両後方へ流れる渦状の上昇流を生じさせ、この渦状の上昇流がブレーキ装置３の冷却風となり、ブレーキ装置３の冷却性を向上する。従って、ブレーキ装置３の冷却性と、車両Ａ全体のＣｄ値とを両立し得る車両のデフレクタ構造を提供することができる。デフレクタ板１００の構成のみでこれらの効果を得られる。
【００４１】
＜他の実施例＞
上記実施例では、デフレクタ板１００の底面視形状を楕円弧状としたが、デフレクタ板の車幅方向の両端部から車両前方へ膨出した形状はこれに限られず、種々の形状が採用できる。例えば、図６（ａ）のデフレクタ板２００のように円弧状（半円弧状）とすることもできる。また、図６（ｂ）のデフレクタ板２０１のように三角状（底辺がないもの）とすることもできる。更に、図６（ｃ）のデフレクタ板２０２のように台形状（底辺がないもの）とすることもできる。これらの何れの例においても、デフレクタ板１００について説明した構成は適宜採用することができ、デフレクタ板１００と同様の効果が得られる。
【符号の説明】
【００４２】
１  前輪
１ａ…ホイール
２  ホイールハウス
３  ブレーキ装置
３ａ…ブレーキディスク
１００、２００〜２０２  デフレクタ板
【図１】
2011201543.tif 000003
【図２】
2011201543.tif 000004
【図３】
2011201543.tif 000005
【図４】
2011201543.tif 000006
【図５】
2011201543.tif 000007
【図６】
2011201543.tif 000008